Podtech/llm-jp-corpus-v4-ja_patent huggingface dataset:
(57)【要約】【課題】  ストラップのないオーソドックスなタイプのパンプスは、その形状上パンプスを足に一体化させる機能が弱いため、靴型と足が合わないものを着用すると、歩行時にパンプスから踵が抜けて歩きにくい。  本発明は、足に合わない靴型のパンプスを足に無理なく固定して歩行時の不快感を軽減するパンプス用ホルダーを提供する。【解決手段】  断面が平たいベルトを８の字型にし、クロス部分を接合し、両の先端部に着脱用の取外金具を取り付け、パンプスを履いた足首とパンプスのヒールを繋ぎ歩行時の不快感を軽減するパンプス用ホルダー。【選択図】図１
2012110652.tif 000002
【特許請求の範囲】
【請求項１】
折り返して８の字に交差させた細長いベルトの一端部に穴を複数設け、この穴を介して調節金具を取り付け、他端に取外金具を取り付けたパンプス用ホルダー。
【発明の詳細な説明】
【技術分野】
【０００１】  本発明は、足に合わない靴型のパンプスを足に無理なく固定して歩行時の不快感を軽減する、パンプス用ホルダーに関するものである。
【背景技術】
【０００２】  従来、足に合わない靴型のパンプスを着用する場合は、パンプスのインソールに補正用の中敷きを敷くなどして対応していた。
【先行技術文献】
【０００３】
【特許文献１】登録実用新案第３１５４０８８号
【特許文献２】登録実用新案第３１５０９８３号
【発明の概要】
【発明が解決しようとする課題】
【０００４】  ストラップのないオーソドックスなタイプのパンプスは、その形状上パンプスを足に一体化させる機能が弱いため、靴型と足が合わないものを着用すると、歩行時にパンプスから踵が抜けて歩きにくい。
補正用の中敷きは効果的でない場合がある。
パンプスのアッパー部と足の甲をバンドで留める対応策は有効であるが、バンドで覆われる面積の分、パンプスの外観のデザインを変える。
本発明は、以上の問題点を解決するためになされたものである。
【課題を解決するための手段】
【０００５】  折り返して８の字に交差させた細長いベルトの一端部に穴を複数設け、この穴を介して調節金具を取り付け、他端に取外金具を取り付ける。
以上の構成よりなるパンプス用ホルダー。
【発明の効果】
【０００６】  パンプスのバックステイ（靴の背面部分）に支点を置き、パンプスと足首とを結びつけ、歩行時にパンプスと踵が離れないよう固定する。これにより、従来難点であった、パンプスと足とを一体化させる確実性を増し、且つパンプスのデザインの変化を最小限にとどめる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）断面が平たいベルト（１）を８の字型にし、クロス部分（２）を接合し、両の先端部は連結しない。
（ロ）ベルト（１）の両の先端部には、調節金具（３）と取外金具（４）をそれぞれ取り付ける。
（ハ）ベルト（１）の調節金具（３）側には、長さ調節用の穴（５）を等間隔に設ける。
本発明は以上のような構造である。
本発明を使用するときは、パンプスを履き、ベルト（１）の円になっている部分にパンプスのヒールを通し、クロス部分（２）をパンプスのバックステイに当て、ベルト（１）の両の先端部を足首に一周させ、先端部に取り付けた調節金具（３）と取外金具（４）を連結させる。
使用するパンプスのヒールの太さによってバックステイに当てるクロス部分（２）の位置が多少上下するのと、使用者の足首の太さによって足首に一周させるベルト（１）の長さが変わるため、長さ調節用の穴（５）と調節金具（３）で装着具合を調節する。
ヒールと足首に取り付けた８の字型のベルト（１）が、クロス部分（２）でバックステイと足首を繋ぐため、歩行時のパンプスと踵の離脱を防ぐ。
パンプスを脱ぐときには、連結させた調節金具（３）と取外金具（４）を外す。
【符号の説明】
【０００９】  １  ベルト
２  クロス部分
３  調節金具
４  取外金具
５  穴
【図１】
2012110652.tif 000003
【図２】
2012110652.tif 000004
(57)【要約】      （修正有）【課題】ファンと排気口の配置を工夫することで，軸方向の空間を確保し、ファンと排気口の構造により，鉄心を配置するための空間を確保し、鉄心長が長い出力の大きな主電動機を構成する。【解決手段】ファン４を固定子コイルエンド３と排気口６の内径側に配置し，ファン４の出口と排気口６とを誘導板８で連結し，固定子コイルエンド３をファン４と干渉しないよう誘導板８の外径側に配置している。ファン４と排気口６の構造は、ファン４が固定子コイルエンド３と排気口６の内径側に配置されることで，当該部分の軸方向の寸法を短くすることができ，その空間を利用して鉄心長を長くすることができる。【選択図】図１
2012110136.tif 000002
【特許請求の範囲】
【請求項１】
吸気口から機内の一端側に機外から機内を通して他端側に冷却用ファンにより、通風させて回転子及び固定子を冷却しながら他端側排気口より機外に排気する構成とした主電動機の冷却構造において、前記ファンを固定子コイルエンドと前記排気口の内径側に配置し，前記ファンの出口と前記排気口とを誘導板で連結し，前記固定子コイルエンドを前記ファンと干渉しないよう該誘導板の外径側に配置していることを特徴とする車両用主電動機の冷却構造。
【発明の詳細な説明】
【技術分野】
【０００１】
本発明は、車両用の台車内に据え付けられている冷却用のファンを備える主電動機の冷却構造に関するもので、ファンと排気口の構造に関するものである。  
【背景技術】
【０００２】
自己通風方式の車両用主電動機の冷却には回転子に取り付けられたファンにより冷却風を機内に取り込むことが多い。
図２は冷却ファンを備える自己通風方式の主電動機構造の一例であり，１は固定子，２は回転子，３は固定子コイルエンド，４はファン，５はブラケット，６は排気口，７はフレームである。
【０００３】
主電動機の運転時には，回転子に取付けられたファンにより主電動機の内部に冷却風が取り込まれる。
主電動機の出力が大きな場合は鉄心長を長くする必要が多くあるが，軸方向の寸法の制約により，必要な鉄心長を確保できないことがある。一方、通風及び通風口の配置にはそれぞれ配置に自由度がある。
【先行技術文献】
【特許文献】
【０００４】
【特許文献１】特開平１１−３５６００５号公報  図１
【発明の概要】
【発明が解決しようとする課題】
【０００５】
解決しようとする問題点は、ファンと排気口の配置を工夫することで，軸方向の空間を確保し、鉄心長が長い出力の大きな主電動機を構成することが目的である。
【課題を解決するための手段】
【０００６】
請求項１の発明によれば、吸気口から機内の一端側に機外から機内を通して他端側に冷却用ファンにより、通風させて回転子及び固定子を冷却しながら他端側排気口より機外に排気する構成とした主電動機の冷却構造において、前記ファンを固定子コイルエンドと前記排気口の内径側に配置し，前記ファンの出口と前記排気口とを誘導板で連結し，前記固定子コイルエンドを前記ファンと干渉しないよう該誘導板の外径側に配置していることを特徴とする。
【０００７】
すなわち、本発明は、ファンが固定子コイルエンドと排気口の内径側に配置されることを特徴とする。
【発明の効果】
【０００８】
本発明のファンと排気口の構造は、ファンが固定子コイルエンドと排気口の内径側に配置されることで，当該部分の軸方向の寸法を短くすることができ，その空間を利用して鉄心長を長くすることができる。
【図面の簡単な説明】
【０００９】
【図１】本発明の実施例を示す説明図である。（実施例１）
【図２】従来の一例を示す説明図である。
【発明を実施するための形態】
【００１０】
ファンを固定子コイルエンドと排気口の内径側に配置し，ファンの出口と排気口とを誘導板で連結する。また，固定子コイルエンドをファンと干渉しないよう外径側に配置する。
図１により実施形態を以下に説明する。
【実施例１】
【００１１】
図１は、本発明の実施例を示す断面図であって，部品名が図２と同じものは同じ符号で説明する。１は固定子，２は回転子，３は固定子コイルエンド，４はファン，５はブラケット，６は排気口，７はフレーム，８は誘導板である。ファン４は固定子コイルエンド３の内径側に配置される。  排気口６はブラケット５の軸方向に設けられる。誘導板８はブラケット５に取付けまたはブラケット５と一体として設けられている。ファン４の出口，誘導板８，排気口６に至る経路において，機内部と連通していない。固定子コイルエンド３は誘導板８を避けるように外径側に配置されている。
【符号の説明】
【００１２】
１    固定子
２    回転子
３    固定子コイルエンド
４    ファン
５    ブラケット
６    排気口
７    フレーム
８    誘導板
【図１】
2012110136.tif 000003
【図２】
2012110136.tif 000004
(57)【要約】【課題】  回転運動による騒音【解決手段】発電補助誘導回転体内部に磁石着合物ケースを設けじ回転方向で磁石着合物の着離運動で大きな慣性エネルギーを得ているために着離時に騒音が発生するが、磁石の着離部に極力磁力の減衰を押さえたクッション材を挿入することで問題点が解決される。【特許請求の範囲】
【請求項１】
磁石着合個体の設置方法及びその配列
【発明の詳細な説明】
【発明の詳細な説明】
【０００１】この考案は発電機発電の新案発電機駆動補助装置
【技術分野】
【０００２】この考案は発電機で発電する発電機駆動にかかわる外部動力源の省エネルギー化目的を確実にする装置である
【発明が解決しようとする課題】
【０００３】従来型の発電装置（水力・火力・風力・地熱・原子力）では発電に必要な外部エネルギーを得るための構築構造物が大仕掛であり売電業務用のものが主力発電機として主流をなしていた
この考案は従来型の欠点（大仕掛・低効率）を解決するために仕掛を小型化し発電効率を超効率化した
【問題を解決するための手段】
【０００４】この発明では発電補助誘導回転体（円筒ドラム）と起動用モータ、発電機で構成される
起動用小型モータで発電補助誘導回転体を回転させ徐序にその回転数が上がると共に発電機による発電が開始される。  発電補助誘導回転体が一定回転数に達し、発電量が安定数値に達した時点で起動用モータの電源を発電補助誘導回転体で発電した電力に切り替え、起動用小型モータの電源となる。
切り替え時点から発電補助誘導体内に数多く組み込まれた強力な磁石アームが回転体の回転運動の回転数を感知して着離を繰り返し回転体の回転運動に加速度を発生させ回転体の回転運動の減衰を押さえると共に回転慣性運動を安定持続させ、超効率発電を持続させることにより省エネルギー化も同時に図る。
【発明の効果】
【０００５】小型軽量化に加えて発電効率の向上を成し遂げる事により、設置する場所の小面積化が可能となり移動設置も可能となる。
製作構造も極めて単純化して廉価で製作可能なため応用市場範囲が無限に拡大される。
【発明を実施するための最良の形態】
【０００６】本発明を最良で実施する形態は、小型起動モータを起動させ連結させている発電補助誘導回転体と発電機を安定回転数まで上昇させ、発電補助誘導回転体内部に設けた磁石着合体の着離運動による慣性加速度を得て、発電補助誘導回転体の一定回転数と同調して発電量の定量化が生まれる。
【図面の簡単な説明】
【０００７】
【図１】本発明装置の全体正面図である。
【図２】本発明発電補助誘導回転体の内部を示した斜面図である。
【図３】本発明磁石着合体の単体斜面図である。
【図４】本発明磁石着合体の単体側面図である。
【図５】本発明の磁石着合体回転運動時の側面図である。
【符号の説明】
【０００８】１  発電補助誘導回転体本体
２  起動用動力モータ
３  発電機
４  磁石着合体
５  連結ベルト
６  磁石連結アーム
７  磁石単体
８  本体フレーム
９  シャフト
１０  磁石着合体ケース部
１１  磁石着合体誘導ストロークストッパー板
【図１】
2012110195.tif 000002
【図２】
2012110195.tif 000003
【図３】
2012110195.tif 000004
【図４】
2012110195.tif 000005
【図５】
2012110195.tif 000006
(57)【要約】      （修正有）【課題】発電機を動かすために必要とする最初の起動源となる原動力は、ガソリン又は、軽油などのエンジン力により目的を達している。このために、排気ガス、騒音、又は燃料費等の課題点がある。【解決手段】最初の起動源として、蓄電池の電気を用いる。最初に蓄電池１により、電気モーター２を回転させる。この電気モーター２の回転を、発電機モーター３と３−１に伝動し、発電機モーターを回転させ電気を作り出す。この電気を再び蓄電池に送り充電をする。この繰り返しで電気を作り出す。【選択図】図１
2012110196.tif 000002
【特許請求の範囲】
【請求項１】
最初に蓄電池（１）により、電気モーター（２）を回転させる。この電気モーター（２）の回転を、発電機モーター（３）と（３−１）に伝動し、発電機モーターを回転させ電気を作り出す。この電気を再び蓄電池に送り充電をする。この繰り返しで電気を作り出す方法です。
【請求項２】
電気モーター（２）と、発電機モーター（３）との設置位置が色々な位置になる。それにより、電気モーター（２）の回転を発電機モーター（３）に伝動するには、多種多様の方法で、回転伝動機具を組み合わせて連結し回転を伝動する。
色々な回転伝動機具の回転伝動ベルト（５）と、回転伝動ギヤ歯車（９）と（１１）、又は回転軸棒（１１）等を用いて、電気モーター（２）の回転を発電機モーター（３）に伝動する。
【発明の詳細な説明】
【技術分野】
【０００１】この発明は、必要とする電気を不特定場所に於いて、電気を作り出すための多用途使用のできる発電機に関するものです。
不特定場所に於いて使用する。色々な機械類を回転させ動かすために必要とする電気を作り出すための発電機です。
不特定場所に移動する。乗り物類の色々な自動車、電車、船等、又は、不特定場所に移動する機械類等が必要とする電気を作り出すための発電機です。
色々な建物の住宅、病院、店舗、ビル、工場、倉庫などで必要とする電気を作り出すための発電機です。
【背景技術】
【０００２】従来は不特定場所に於いて、電気そのものを必要として使用する発電機、又は、色々な場所に移動する移動物類及び、機械類等を回転させ動かすための最初の原動力は、いずれもエンジンを利用している。
又は、色々な建物で電気その物を必要として使用する発電機にも、最初の原動力はいずれもエンジンを使用している。
【先行技術分献】
【０００３】従来は電気を作り出すために最初に起動源としてエンジンを用いて、発電機モーターを回転させて電気を作りだしている。
又は、色々な機械類を回転させ動かすにも、最初の起動源はエンジンを用いて、エンジンの回転力で機械類を回転させ動かしている。
【発明の概要】
【０００４】課題としてエンジンによる排気ガスと騒音の課題点、又は燃料費も課題です。
【課題を解決させるための手段】
【０００５】課題を解決するには、排気ガスを出さない、又は、騒音をださない、又は、燃料を必要としない事です。
つまり、目的を達するために必要とするには、最初の機動力となるエンジンを使用しない事です。
本発明は目的を達するために最初の機動力となるエンジンの代わりに、最初の機動力になる原動力を、蓄電池の電気を利用して起動力とする。
【発明の効果】
【０００６】本発明は目的を達するための原動力を、エンジンから蓄電池に変えた事により、次の効果がある。
排気ガス、騒音、燃料等の課題もなくなる。
発電した電気をロータリー方法で再び蓄電池に送り循環させる事により、電気を作り出すための費用とエネルギーが不要になる。又は、エコロジー的にも利点がある。
【図面の簡単な説明】
【０００７】蓄電池（１）から電気モーター（２）へ、電気モーター（２）から発電機モーター（３−１）と（３）への電流を矢印で示した図です。
【発明を実施するための形態】
【０００８】最初の機動力となる蓄電池（１）により電気モーター（２）を回転させる。この電気モーター（２）の回転を、発電機モーター（３）と（３−１）に伝動させ同時回転させる。そのためには、伝動ベルト（５）又は、ギヤ歯車（９）を用いて、電気モーター（２）の回転を発電機モーター（３）に伝動し、電気を作り出す。そして、この電気を再び蓄電池（１）に送り充電する。そして、充電中に余剰電気を配電盤（４）に送り、色々な用途に必要とする発電機、又は、色々な機械類を回転させ動かすための電気として使用する。
電気を作り出す時には、電源スイッチ（６）を切り替える。
又は、色々な機械類を回転させ動かすには、電気モーター（２）の回転を利用する。又は、発電機モーター（３）の回転を利用する。
図２は電気モーター（２）と発電機モーター（３）を数多く並列し、組み合わせて回転軸棒（１１）により同時回転させる。この事により多くの電気を同時に作り出すための回転伝動軸棒の（１１）です。
【符号の説明】
【０００９】（１）      蓄電池
（２）      電気モーター
（３）      発電機モーター
（４）      配電盤
（５）      回転伝動ベルト
（６）      電源スィッチ
（７）      配線、及び電流を矢印で示したものです
（８）      ベルト掛プーリン
（９）      電気モーターギヤ歯車
（１０）    軸ギヤ歯車
（１１）    回転軸棒
【図１】
2012110196.tif 000003
【図２】
2012110196.tif 000004
【手続補正書】
【提出日】平成22年12月27日(2010.12.27)
【手続補正１】
【補正対象書類名】明細書
【補正対象項目名】０００７
【補正方法】変更
【補正の内容】
【０００７】
【図１】図１は蓄電池（１）と電気モーター（２）と発電機モーター（３）とを組合せた立体図です。
【図２】図２は蓄電池（１）と電気モーター（２）と発電機モーター（３）を回転軸棒（１１）により連結した立体図です。蓄電池（１）から電気モーター（２）へ、電気モーター（２）から発電機モーター（３−１）と（３）への電流を矢印で示した図です。
(57)【要約】【課題】従来はこした油を受けて保存する器は長期間使用すると入れた油が冷えて粘度が増し、こびり着く等ベトついて使いづらかった。また、古い油をすてる場合に廃油を固めるため薬剤等が必要となるため手数がかかり不便であった。従って本発明が解決しようとする課題は、古い油がこびり着いてベトつく前に容易に交換ができ、且つ、廃油を捨てる場合も薬剤等の不要な油こし容器を提供することである。【解決手段】油こし容器の内部にこした油を受けるものをつけて、その上に油こし紙をつけられるようにする。油を使用した後、油こし容器の内部に油を流し込み油かすと油こし紙を廃棄する。こした油を受けるものにあるこした油をオイル鍋に戻し、油こし容器の内部に次の油こしのためにこした油を受けるもの、油こし紙を貼りつける。数回油をこした後はこした油を受けるものに古紙などを入れれば油が流れることなく、かつ燃えるゴミとして油を捨てることができる。【選択図】図１
2012110880.tif 000002
【特許請求の範囲】
【請求項１】
容器の内部にこした油を受ける油受け部を設け、前記油受け部の開口部付近に油こし部材を設けたことを特徴とする油こし容器
【発明の詳細な説明】
【技術分野】
【０００１】この発明は油こし機能を備え、また古くなった油を燃やせるゴミとして捨てることのできる油こし容器に関するものである。
【背景技術】
【０００２】従来、油こし紙でこした油を受け保存する器があった。このため古い油を廃油として捨てる場合、固める等の手段を用いており、廃油を固めるための薬剤が商品として供されている。
【発明の開示】
【発明が解決しようとする課題】
【０００３】従って、従来はこした油を受けて保存する器は長期間使用すると入れた油が冷えて粘度が増し、こびり着く等ベトついて使いづらかった。また、古い油をすてる場合に廃油を固めるため薬剤等が必要となるため手数がかかり不便であった。従って本発明が解決しようとする課題は、古い油がこびり着いてベトつく前に容易に交換ができ、且つ、廃油を捨てる場合も薬剤等の不要な油こし容器を提供することである。
【課題を解決するための手段】
【０００４】油こし容器の内部にこした油を受けるものをつけて、その上に油こし紙をつけられるようにする。油を使用した後、油こし容器の内部に油を流し込み油かすと油こし紙を廃棄する。こした油を受けるものにあるこした油をオイル鍋に戻し、油こし容器の内部に次の油こしのためにこした油を受けるもの、油こし紙を貼りつける。数回油をこした後はこした油を受けるものに古紙などを入れれば油が流れることなく、かつ燃えるゴミとして油を捨てることができる。
【発明の効果】
【０００５】油をこした後、油かすと油こし紙を捨てることができる。こした油を受けるものにある油をオイル鍋などの元の容器に移すことによりこした油を受けるものを捨てることができる。また、何回か使用し古くなった油は、ベトつく前に油こし容器に油こし容器の蓋をしてそのまま捨てることができる。このように廃油を固めるための薬剤は不要となり非常に簡単に油こしや油の廃棄ができる。
【図面の簡単な説明】
【０００６】
【図１】本発明の油こし容器の断面図である。
【発明を実施するための形態】
【０００７】以下、発明を実施するための形態を図面に基づいて説明すると、こした油を受けるもの（３）を油こし容器（１）内に入れ、油こし容器（１）の上の部分の内側に貼り付ける。こした油を受けるもの（３）の上部内側に油こし紙（２）をくぼませて貼りつける。１回の油をこすために１枚の油こし紙（２）、１つのこした油をうけるもの（３）が必要である。複数回油こしを行うため複数の油こし紙（２）、こした油を受けるもの（３）がある。また、油こし容器（１）には油こし容器の蓋（４）がある（図１）。本発明は以上のような構造である。従って、本発明の油こし容器は次のように使用します。油こし容器（１）の上部にある油こし容器の蓋（４）を外しオイル鍋から使用した油を油こし容器（１）内の油こし紙（２）へ流しこむ。油かすは油こし紙（２）に残り、油は油こし紙（２）の下にあるこした油を受けるもの（３）に落ちてたまる。油かすがある油こし紙（２）を油こし容器（１）から外し捨てる。油こし容器（１）内のこした油をうけるもの（３）に溜まっている油の粘度が増していない状態つまり使用できる状態の場合はこした油をうけるもの（３）に溜まった油をオイル鍋へ戻す。その後こした油を受けるもの（３）を油こし容器（１）から外して捨て、新しいこした油を受けるもの（３）を油こし容器（１）の内側に貼り、次に新しい油こし紙（２）を油こし容器（１）の内側に貼りつけ、油こし容器の蓋（４）をする。
また、油こし容器（１）の上部にある油こし容器の蓋（４）を外しオイル鍋から使用した油を油こし容器（１）内の油こし紙（２）へ流しこむ。油かすは油こし紙（２）に残り、油は油こし紙（２）の下にあるこした油を受けるもの（３）に落ちてたまる。油かすがある油こし紙（２）を油こし容器（１）から外し捨てる。油こし容器（１）内のこした油をうけるもの（３）に溜まっている油が粘度を増した状態つまりベトベトし使用できない状態になった場合、古紙など油を吸いこむものをこした油をうけるもの（３）に入れて油こし容器（１）に油こし容器の蓋（４）をして油こし容器（１）を捨てる。このような使い方である。
【符号の説明】
【０００８】１  油こし容器
２  油こし紙
３  こした油を受けるもの
４  油こし容器の蓋
【図１】
2012110880.tif 000003
(57)【要約】【課題】  費用のかからない水道水質に変化をもたらし、人体の老化の因をもたらす活性酸素の働きを抑止し内面からの若返り効果を持つ内面美容水が作れないか、飲料用容器内の水にどういった素材を入れたらよりおいしい抗活性酸素対応の高い抗酸性を持つミネラルエネルギー水が作れないか課題として模索研究を進めた。【解決手段】  ミネラル水を作るには容器内の水道水にミネラル成分を多く含有する火山岩石を入れ、又、おいしくする為脱臭性が強く水をやわらかくする竹炭を入れる事である、又、高い抗酸化性を持たせる為に岩石からのミネラル成分の溶出を活性化させるべく、高い磁力線を有する磁石を二極的に配置して磁場水を作り、水質にエネルギー性を持たせ、高い抗酸性鉱物の金粉を配する事で磁場水と反応し容器内の水道水が４〜５時間経過後に、活性酸素対応用の高い抗酸化質のおいしいミネラルエネルギー水を提供する。【選択図】図１
2012110877.tif 000002
【特許請求の範囲】
【請求項１】
容器内の水道水がおいしいミネラル水へと変わるだけでなく、体内の活性酸素に対応しうる強い抗酸性を水質に発生させる為のパックに詰めた素材構成。
【発明の詳細な説明】
【技術分野】
【０００１】  本発明は水道水が短時間にておいしいミネラル水へと変化するだけでなく、その水質に高い抗酸化成分を含有させるという、湧き水などを含む飲料水全般に対して利用できるパックにつめた構成材料に関する。
【背景技術】
【０００２】  一般的には水道水を電解したアルカリイオン水や山間から湧き出るミネラル水、深海から採取する深層海洋水、又、火山岩石や竹炭等でろ過したろ過水等様々であり、スーパー等では電解したアルカリイオン水や中国産の火山岩石“麦飯石”（ばかんせき）でろ過したミネラル水等が広く提供されているが、新陳代謝を阻害し老化を促進させる因と言われる過酸化脂質の体内形成に深く関与する活性酸素対策としては抗酸化成分の含有面において不十分である、また費用のかかるヒアルロン酸、コラーゲン含有等の成分水もまた同様である。
【発明の開示】
【発明が解決しようとする課題】
【０００３】  おいしい水、体によいとされるミネラル水、酸素水、アルカリイオン水等たくさんの水が出回っているが、体内に発生する活性酸素に対する効果はイマイチであり、食べ物飲み物にも抗酸化成分を含んだ物もある、ワインなどポリフェノール等も効果的な量を摂取するには１日何本も飲み続ける必要があり、食べ物でも同様である、逆に同一成分の過剰摂取は栄養のバランスがらいって逆効果になってしまう、したがっておいしく強い抗酸化成分を有する抗活性酸素的な水道水ならば費用もかからず毎日自動的にかつ継続的に十分摂取し続ける事が出来る、人間の細胞は５０回程度再生すると言われ加齢と共にその活動も弱まっていくが、その主因となるのが活性酸素とも言われ過酸化脂質の減少効果を持つ水道水が作れないかを課題として研究を進めた。
【課題を解決するための手段】
【０００４】  おいしい水を作るのは簡単である、水道水を入れた容器の中にミネラル成分の多い火山岩石を入れ更に竹炭を配する事である、竹炭は炭素物の中でも特に灰分の含有量が多く、多孔質にて脱臭性が強く水をやわらかくし、水質中のカルキ臭等を簡単に取り去ってしまう働きがある、したがって大変おいしいミネラル水が出来る。公共の水質浄化施設や化粧品会社などでも大量の火山岩石を利用して水を浄化し、竹炭も水を清水化する為、飲料水、酒類メーカー等が使用しよりおいしい飲酒類として市場に出回っている。【０００５】  次にいかにからだに良い、又、抗活性酸素成分を持たせるかである、岩石から溶出するミネラル成分は微量である、そこで直接鉱物を入れる事にした飲用しても全く問題の無い金粉を配した、金は王水には溶けるものの普通の酸に対して高い抗酸性を有する鉱物であり、金粉にする事で磁場水中に高い抗酸性を持たせる効果を有する、これらの鉱分子をイオン化する為強い磁力線を持つフェライト磁石を上下に分けて配した、この結果水質内に対流が起こりエネルギー水と化し強い抗酸化成分を発生する事になる、なぜなら錆びやすいトタン等の細かい端材をこの水に入れて、何ヶ月経過しても錆びがこない事でも証明される、又、自然現象である雷の発生した際の降る雨は電磁波を帯びたエネルギー水であり、草木や野菜、果物等の植物の育成を助長すると言われ、エネルギー水とも言われている、従って磁力線を帯びたポット内の水道水もエネルギー水に変化しているのである、ちなみに３０００ガウスの磁気を帯びたリングを水道管に取り付ける事で水質が瞬間的に変化し、おいしい水道水を提供するという事が特許事案にもなっている、こうした材料構成比により、水道水が大変おいしい高い抗酸化性を持つミネラルエネルギー水へと変化する。【０００６】  又、竹炭を飲料用として使用する際、煮沸湯洗する事で竹炭の特性である活性珪酸が活性化され脱臭効果、遠赤効果などがより強く効果が発揮されます。さらに、湯洗の際は大型の鍋で２０００ガウスの磁石を鍋内に十字状に取り付け、鍋底と上部浮きフタに取り付ける事で上下左右の磁場水を発生し、そこにアスコルビン酸（ビタミンＣ）含有の強い一番摘み取り緑茶葉を入れる事で竹炭の多孔質へのビタミンＣ成分付着が行われ成分竹炭を作り出します。それにより飲用水道水がより強い抗酸化水になります。
【発明の効果】
【０００７】  我々は水を相当量毎日飲み続ける事で生命維持に繋がり費用のかからないこの水を日常的に無理なく飲み続ける事で体内の活性酸素活動を抑え、新陳代謝を活性化させ内面からの若返り、内面美容効果をもたらし、バランスの良い食生活、適度な運動を加味する事で長寿効果を生み出す
【発明を実施するための最良の形態】
【０００８】  水道水及び市場で販売されている各種飲料用水に防錆剤をぬっていない釘や鉄くずやブリキ端材等を各水に入れ放置すると時間差はあるものの数時間及び数日中には必ず錆びていく、このミネラルエネルギー水だといつまで経っても錆びが来ない、又、多数愛飲者モニターさんの意見でもおいしいのはもちろんだが便通がよくなった、吹き出物が少なくなった、胃の調子が良くなった食欲が出た、肌ツヤが良くなった等の体調好転の感想文が多々寄せられた、特に朝起きて適量毎日飲む事をお勧めしますという意見も来た、これは寝起きには食べ物が全て消化された状態なのでこの水の成分が直接体に行き渡る為と思われる。
【図面の簡単な説明】
【０００９】
【図１】袋に入った材料の外面図
【図２】袋に入った材料の断面図
【符号の説明】
【００１０】１  火山岩粒状岩石  ２  竹炭  ３  １０ｍｍ径フェライト円形磁石  ４  金粉  ５  スケルトン生地パック  ６  パック開口部結び紐  ７  内装
【図１】
2012110877.tif 000003
【図２】
2012110877.tif 000004
(57)【要約】【課題】  ハイヒールを履いたときの滑り止めとつま先の痛み軽減対策と外反母趾を予防する足カバーを提供する。【解決手段】  親指と人差し指の間にクッションを設け指を広げる。中足骨の下にクッションを設け中足骨を上げて横アーチと外側アーチと内側アーチのバランスをサポートする。足カバーの裏側に滑り止めを設けヒールの傾斜によっておこる足の滑りを防止することでつま先にかかる圧による痛みを軽減する。【選択図】    図３
2012110486.tif 000002
【特許請求の範囲】
【請求項１】
足カバーを足に装着したときに
中足骨部分に対応した位置にある中足骨下のクッション部と
親指と人差し指の間に対応したクッション部とを備える足カバー
【請求項２】
足カバー底面部に突起状の滑り止め部を備える請求項１記載の足カバー
【発明の詳細な説明】
【技術分野】
【０００１】
本発明はハイヒールを履いたときの、痛み軽減対策と外反母趾を予防するための足カバーに関する。        
【背景技術】
【０００２】
ハイヒールを履いたときにおきる現象としては、滑りながらおこるつま先の痛みや外反母趾等である。現存する足カバーの足裏についている厚みが薄く軟らかいクッションや低反発のクッションでは、歩行のときの地面への衝撃を軽減するだけで外反母趾の予防のものではない。また従来これらを軽減する方法としては中敷に貼るインソールしかなかった。特に夏場に履くハイヒールのサンダル等を履いたときにおこる滑りながらおこるつま先の痛みや外反母趾の防止対策は、素足で履くために予防対策するものが見えてはならない隠れる場所での方法しかない。しかしながら中敷に張るインソールだけで防止対策することは効果の限界がある。          
【先行技術文献】
【特許文献】
【０００３】
【特許文献１】特開２００９−１９７３７７号
【発明の概要】
【発明が解決しようとする課題】
【０００４】
ハイヒールを履いたときに起こる問題は、つま先の変形によりつま先への圧が強くなり、痛みを伴い足がつま先方向に滑り、つま先はさらに締め付けられる。つま先の締め付けで足の指の隙間がなくなり、運動範囲が狭くなることで血行不良を起こし冷え性やむくみが悪化する。ヒールはかかとが細くて不安定なので捻挫を防ぐため筋肉が過剰に働き、ハイヒールを履くだけで足から腰にかけての筋肉が疲労する。ヒールを履くとすねから膝にかけてねじれが伝わり、膝の変形やＯ脚を招く。すねのねじれは骨盤にも伝達され腰に負担をかけ、その結果骨格も徐々に歪み腰痛の原因にもなる。
ハイヒール等を履いた時に起こる滑りによるつま先の痛みと外反母趾問題を予防するには、従来の中敷に貼るインソールでは効果の限界があり、又外反母趾用とわかる足カバーでサンダル等を履くにはファッション性も軽減される。ハイヒール等を履いた時に起こる問題も予防でき、見た目にも外反母趾用と気づかれないファッション性を伴うデザインの足カバーとする。
【課題を解決するための手段】
【０００５】
親指（１）と人差し指（２）の間（３）にクッションを設ける。中足骨（４）にクッションを設ける。足裏（５）に滑り止めを設けた足カバー（６）である。
本発明は以上の構成よりなるハイヒールを履いたときにおきる現象である滑り止め防止とつま先の痛みを軽減する。外反母趾を予防する足カバーである。
【発明の効果】
【０００６】
足には骨を形成する３つのアーチがあり、体重はこの３本のアーチで支えられている。横アーチと外側アーチと内側アーチをバランスよくサポートすることが重要である。足カバー（６）は、中足骨（４）と親指（１）と人差し指（２）の間（３）に厚みのある少し硬めのクッションを設けることで指と中足骨の運動範囲が広がり、足裏（５）には滑り止めをつけることで滑りを防止することができる。それにより、ハイヒールを履いたときにかかる圧の締め付けによる痛みが軽減され、歩行が楽になり外反母趾の予防にもなる。
実際に足カバー（６）を作製して、外反母趾と足の痛みが気になる人に履いてもらい感想を聞くと「ハイヒールのサンダルを履いていても、足の滑りがなく痛みも気にならない。足カバーが見えてもおしゃれなデザインなので楽しく履ける」と再度製作を依頼された。
ハイヒールを履きたいのに外反母趾で諦めていた人や足の痛みを我慢してヒールの高い靴を履いている多くの人々にも履いてもらい、ハイヒールを苦痛な履物から快適な履物へと進化させたいと思う。このカバー（６）は靴下の中に履くこともできるので、ハイヒールを履かない人でも、外反母趾の予防ができる。また、洗うことができるので清潔に使用できる。
【図面の簡単な説明】
【０００７】
【図１】図１は本発明の中敷正面図である
【図２】図２は本発明の側面図である
【図３】図３は本発明の斜面図である
【図４】図４は本発明の裏面正面図である
【図５】図５は本発明の使用状態を示す参考図である、（ａ）裏から見た図（ｂ）上から見た図（ｃ）側面から見た図
【発明を実施するための形態】
【０００８】
足カバー（６）に親指（１）と人差し指（２）の間（３）にクッション厚み５ミリ長さ１４ミリほどを設け指が広がるようにする。足カバー（６）の内側に縫い付ける中足骨（４）に丸みを帯びたクッション厚み１センチほどのクッションを設ける。クッションの沈みを防止するためにクッションと同形の土台をクッションの下に敷く土台は厚み１ミリほどにして中足骨を持ち上げる。足カバー（６）の内側に縫い付けるクッションの（３）と（４）の部分は摩擦が多いため摩擦に強い生地を使用する。足裏（５）に滑り止め防止の突起を設ける。足カバー（６）は伸縮性のある生地にする。
【符号の説明】
【０００９】
１．親指開孔部
２．人差し指から小指までの４本指開孔部
３．親指と人差し指の間のクッション部
４．中足骨下のクッション部
５．足カバー底面部
６．足カバー
【図１】
2012110486.tif 000003
【図２】
2012110486.tif 000004
【図３】
2012110486.tif 000005
【図４】
2012110486.tif 000006
【図５】
2012110486.tif 000007
(57)【要約】【課題】現代社会の地上・水面に発生した化学物質・特定化学物質を含む気体・液体の緊急災害拡大防止の対応を低コストで効率的な珪藻土顆粒・ゼオライト顆粒を提供する。【解決手段】本発明の多孔質体含有・吸気物質の珪藻土顆粒・ゼオライト顆粒を気体・液体・可燃物質の緊急災害拡大防止の用材に用いた。多孔質体を特性とした珪藻土顆粒・ゼオライト顆粒は、災害用途に応じた含有・保持・有機物の含有分解させる技術を提供する。【選択図】なし【特許請求の範囲】
【請求項１】
植物栽培における培地仕込み工程において、培地基材を電気分解水の酸性水ｐＨ３±１を透水性のある袋素材に入れ培地基材内部に電気分解水を浸漬することにより殺菌効果を得ることを特徴とする植物栽培における培地基材の処理方法。
【請求項２】
請求項１の培地基材に電気分解水のアルカリ水ｐＨ１０±１に浸漬することにより中和反応の被抽出物成分組成抽出を得たことを特徴とする茸の植物栽培における培地基材の処理方法。
【請求項３】
請求項２に請求項１の単独で用いても良く、また請求項１に請求項２の被抽出物素材混合によって成分組成を得ることを特徴とする植物栽培における培地基材の処理方法。
【請求項４】
請求項３において好ましくは電気分解水を用いると良いが、水道水、天然水、ミネラル水、酸化還元水、活性水、製氷水、超微粒子水を用いることの想定内、同等の成果を得ることを特徴とする植物栽培における培地素材の処理方法。
【請求項５】
前記、請求項１から４において本発明趣旨を逸脱しない範囲の変更は、本発明に含まれる。
【発明の詳細な説明】
【技術分野】
【０００１】本発明は、植物栽培における培地仕込み工程において、電気分解水を用いた被抽出物質から得られる含有物質の成分組成の製造に関するものである。【０００２】電気分解水によるｐＨ調整化合物の成分組成を大量生産が可能なことから、産業開発において期待できる。【０００３】被抽出物質の成分組成の利便性に関するものである。
【背景技術】
【０００４】成分物質については，公知とされている。しかし、植物の培地に加熱殺菌方法が採用され、培地内在の菌糸の揮発性成分が放散され培地環境を弱め、菌糸に不均一が生じ、有効のないままが実態である。ボイラ−設備、伴う燃料の導入コストの高額・環境問題に問題がある。
【発明の開示】
【発明が解決しようとする課題】
【０００５】本発明は、前記従来を鑑みて、植物栽培の培地基材仕込み工程において、電気分解水を浸漬することにより殺菌効果が容易に確実に効果が得られる。【０００６】本発明は、このような実状に鑑みなされたものであり、成分物質は水溶性成分を含有していることからボイラ−による加熱方法から、電気分解水を用いたｐＨ調整可能とする被抽出物質の菌糸に必要な水分補給を与える植物の成分を促進とする含有成分組成を発揮させる植物栽培における培地基材の処理方法とその提供を目的とする。
【課題を解決するための手段】
【０００７】課題を解決するため、被抽出物質を電気分解水でｐＨ調整可能とした本発明技術は、浸透性の装置に被抽出物を封入することで有効成分の組成構造の植物栽培における培地基材を図ったことによる、好ましい選択の合理的構成が得られ、この発明に到達した。
【発明の効果】
【０００８】以上のように、本発明技術は、有効戊分を無駄なく発揮され、融合性に優れ、汎用され、産業への期待は大きい。【０００９】この発明は、原料となるものを浸透性のある袋状にいれ、それを水中に入れ成分が濾過され、抽出物として、効率が良く製造されることを特徴とする。【００１０】天然素材の有用な物質は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、有効成分組成を請求項１から請求項５から得たことを特徴とする。例えば、前述の被抽出物質を透水性の良い袋状に入れ、電気分解水の酸性・アルカリ性のｐＨ調整液体物質に浸漬ことで成果を得た。培地基材による成分組成加工を図ることの選択による好ましい効果が得られる。【００１２】上記技術でもって、有効物質の含有する成分を効率よく抽出できる。成分を多く含む効果を得ることができる。前述の好ましくは電気分解水を用いるのが良いが、酸性を保持し、水道水・天然水・ミネラル水・酸化還元水・活性水・製氷水・超微粒子水等の用いることに限るものではない。発明趣旨を逸脱しない範囲の変更は、本発明に含まれることを特徴とした。
【産業上の利用可能性】
【００１３】本発明の、成分組成の抽出する方法及び製造方法は、天然素材加工技術によることを特徴としている。【００１４】上記、地域の天然資源を活用することで産業上の利用可能性を有する。
(57)【要約】【課題】従来の切り餅、丸餅については、中には何も内包されておらず、焼いた後に何かを付けて味付けするなどの手間がかかっていた。  また、餅については、正月だけというイメージが強かった。  本発明は、以上の問題点を解決するためになされたものである。【解決手段】餅の中にあんこ、きなこ、味噌、ひき肉、チーズ、カレールー、ピザソース等の具材を内包させる。製造方法は、１枚の穴の開いていない板状の餅に、もう１枚の中央部に具材を入れるための穴の開いた板状の餅を張り合わせ、その穴に具材を入れた後、更にもう１枚の穴の開いていない板状の餅を張り合わせ蓋をする。  これにより餅を焼いた後の味付けの手間が不要となり、また洋風の具材を入れることにより正月だけというイメージがなくなり、更に、複数枚の餅を張り合わせることにより、焼きあがりは側面に割れ目ができ、ふっくら焼きあがる。【選択図】図３
2012175961.tif 000002
【特許請求の範囲】
【請求項１】
餅を上下に複数枚張り合わせた構造とした餅。
【請求項２】
請求項１の餅を張り合わせる際に中に具材を入れた餅。
【発明の詳細な説明】
【技術分野】
【０００１】  本発明は、切り餅、丸餅などの餅に関するものである。
【背景技術】
【０００２】  従来の切り餅、丸餅などの焼餅については、ふっくら焼けるように側面あるいは上面に切れ目を入れていた。
なお、側面あるいは上面に切れ目を入れた餅には「餅」、「切り餅」などがある。（特許文献１，２参照）
【先行技術文献】
【特許文献】
【０００３】
【特許文献１】  公開番号  特開２００６−１７４８５１
【特許文献２】  公開番号  特開２００５−０３４０７９
【発明の概要】
【発明が解決しようとする課題】
【０００４】  従来の切り餅、丸餅については、中には何も内包されておらず、焼いた後に何かを付けて味付けするなどの手間がかかっていた。
また、餅については、正月だけ、冬場だけというイメージが強かった。
本発明は、以上の問題点を解決するためになされたものである。
【課題を解決するための手段】
【０００５】  餅の中にあんこ、きなこ、味噌、ひき肉、チーズ、カレールー、ピザソース等の具材を内包させる。
製造方法は、２枚の餅の中央部に具材を入れるための空間を設ける。この空間に、具材を入れ、具材を入れた面を張り合わせる。
または、１枚の餅だけに具材を入れるための空間を設け、この空間に具材を入れた後、もう１枚の穴の開いていない板状の餅を張り合わせ蓋をする。
あるいは、１枚の穴の開いていない板状の餅に、もう１枚の中央部に具材を入れるための穴の開いた板状の餅を張り合わせ、その穴に具材を入れた後、更にもう１枚の穴の開いていない板状の餅を張り合わせ蓋をする。
以上の方法よりなる具材を入れた餅の製造方法。
【発明の効果】
【０００６】  従来は餅を焼いた後にしょうゆ、あんこ、きなこ、味噌などで味付けをすることを絶対必要としていたが、本発明により焼いた後の味付けの手間が不要となる。
本発明は、チーズ、カレールー、ピザソースなどの具材を入れることで和風のイメージが回避され、正月だけ、冬場だけに限らず夏場の朝食、バーベキューなどの場でも洋食の風味を味わえることができる。
また、複数枚の餅を張り合わせることにより、焼きあがりは側面に割れ目ができ、ふっくら焼きあがる。
【図面の簡単な説明】
【０００７】
【図１】本発明の切り餅餅の斜視図
【図２】本発明の丸餅の斜視図
【図３】本発明の切り餅の斜視透過図
【図４】本発明の組み立て構造図（１）
【図５】本発明の断面図（１）
【図６】本発明の組み立て構造図（２）
【図７】本発明の断面図（２）
【図８】本発明の組み立て構造図（３）
【図９】本発明の断面図（３）
【発明を実施するための形態】
【０００８】  以下、本発明を実施するための形態について、図面に基づいて説明する。
（イ）複数枚上下に張り合わせた構造の餅とする。（図１，２，３）
（ロ）餅の張り合わせ面の中央に空間を設けて具材を入れられる構造とし、この空間に具材を入れ、餅を張り合わせる。（図４，５，６，７）
（ハ）餅を３枚以上張り合わせる場合は、張り合わせる中央になる餅に穴を設けて具材を入れられる構造とし、この穴に具材を入れ、餅を張り合わせる。（図８，９）
【符号の説明】
【０００９】１Ａ  餅
１Ｂ  餅
１Ｃ  餅
２    具材
２Ａ  具材
２Ｂ  具材
【図１】
2012175961.tif 000003
【図２】
2012175961.tif 000004
【図３】
2012175961.tif 000005
【図４】
2012175961.tif 000006
【図５】
2012175961.tif 000007
【図６】
2012175961.tif 000008
【図７】
2012175961.tif 000009
【図８】
2012175961.tif 000010
【図９】
2012175961.tif 000011
(57)【要約】      （修正有）【課題】従来の方式では補聴器の操作部が二か所あり使用者が完全に調節できなかった。１つの操作で音量と音質を同時に調整できる機能を備えた補聴器を提供する。【解決手段】可変抵抗器１の音量調整のみの操作で音量と音質の双方を同時に最適値に調節できるようにする。【選択図】図１
2012175697.tif 000002
【特許請求の範囲】
【請求項１】
補聴器音量の変化に対応し増幅度１０ｄＢでは高域を増強し、増幅度３０ｄＢでは高域を抑制する回路を備えた補聴器。
【発明の詳細な説明】
【技術分野】
【０００１】本発明は補聴器の音量調整器に聞き取り調整機能を付加した補聴器。
【背景技術】
【０００２】従来音質調整は音量調整器とは別に２〜３の小さいトリマで行うようになっていた。
補聴器使用者はこの機能が解らず、調整は補聴器供給者（販売店）に任せていた。
５０００を超える補聴器適合の経験から聞き取り改善の基本特性を見出しこれを取り入れれば自分で調整することができる。
【発明の概要】
【発明が解決しようとする課題】
【０００３】１）  補聴器供給者には他人の聞こえはわからないので調整が正しく行われない。
２）  どんな場所でも話がわかるように自分で調整をかえられること。
３）  操作が単純であること。
【課題を解決するための手段】
【０００４】単純な操作で調整するには音の大きさの連続変化とその時の聞き取りの良い特性を兼ねることが必要でその回路図を実施例図３に示す。その特性図を実施例図４に示す。
特徴は小さい増幅では高音を強調し、増幅度大にするに従い高音抑制とする。
この特性は聞き取りが良くやかましさを抑える。
また音の大きさの連続調整が不得手な高齢者には音の大きさを２段階に切り替えて使えるようにする。その回路図を実施例図５にしめす。
【発明の効果】
【０００５】騒音がある場所でもやかましさが無くて話がよく解るように簡単に調整できるので多くの難聴者が快適に使うことができる。
【図面の簡単な説明】
【０００６】
【図１】本発明補聴器の外形図である。
【図２】本発明の高齢者用補聴器外形図である。
【図３】本発明の音量音質調整器の実施回路図である。
【図４】本発明の音量音質調整器の実施回路の特性表である。
【図５】本発明の高齢者用音量音質調整器の実施回路図である。
【発明を実施するための最良の形態】
【０００７】以下、本発明の実施の形態について、図面を参照し詳細に説明すれば、図１は本発明補聴器の外形図であり可変抵抗器１の音量調整のみの操作で聞き取り調整までが完了する。図２は本発明の高齢者用補聴器の外形図でありスイッチ２の切り替え操作のみで音量及び聞き取り調整まで完了する。
実施例図３に示す音量音質調性器の特性は図４に示す特性表に示す。この特性表から増幅度小にすると音が小さいので言葉の明瞭さを良くするために高音を強調する。増幅度大にすると音が大きくなり高音が増強されてやかましくて話がわからないので高音を抑制する。
１）  操作が容易である。
２）  音量に適合する音質が自動調整される。
３）  言葉が聞き取り良くやかましくない。
また図２は可変抵抗器をやめ上記３項目を満たし高齢者用として増幅度を２段階に分けたスイッチのみの切り替え操作で音量音質の調整が出来る補聴器である。
【符号の説明】
【０００８】１                      本体
２                      可変抵抗器
３                      スライドスイッチ
Ｑ１                    オペアンプ
Ｃ１，Ｃ２，Ｃ３        コンデンサ  セラミック
Ｃ４                    コンデンサ  電解
Ｒ１，Ｒ２，Ｒ３，Ｒ４  抵抗
ＶＲ                    可変抵抗器
【図１】
2012175697.tif 000003
【図２】
2012175697.tif 000004
【図３】
2012175697.tif 000005
【図４】
2012175697.tif 000006
【図５】
2012175697.tif 000007
(57)【要約】      （修正有）【課題】焼印が付けられた、あわび又はからすみの身肉製品で、焼印の周囲が黒ずんで、消えたり不鮮明になることのない製品を提供する。【解決手段】下処理したあわび又はからすみ身肉を、醤油、みりん、ソルビトール、酒精、かつおエキス等からなる味付け液に８〜２４時間浸漬し、次いで該あわび又はからすみ身肉に焼印を押印した後、再度、味付け液に１５〜６０分浸漬する。【選択図】なし【特許請求の範囲】
【請求項１】
下処理したあわび又はからすみの身肉を味付け液に８〜２４時間侵漬し、次いで該あわび身肉に焼印を押印した後、味付け液に１５〜６０分浸漬することを特徴とする焼印付け味付あわび又はからすみの製造方法。
【発明の詳細な説明】
【技術分野】
【０００１】  本発明は、焼印付あわび又はからすみの製造方法に関するものである。
【背景技術】
【０００２】  従来、かまぼこ・饅頭等には焼印が施されることがある。しかしあわび又はからすみのような身肉には焼印を施されることはなかった。
【発明の概要】
【発明が解決しようとする課題】
【０００３】  従来の方法は、味付けあわび又はからすみに焼印しても焼印の周囲が黒ずんだり、不鮮明になったり等の問題があった。それが焼印されなかった理由である。
【課題を解決するための手段】
【０００４】  本発明は、下処理したあわび又はからすみ身肉を味付け液に８〜２４時間浸漬し、次いで該あわび又はからすみ身肉に焼印を押印した後、味付け液に１５〜６０分浸漬することを特徴とする焼印付け味付けあわび又はからすみの製造方法である。
【発明の効果】
【０００５】  従来が焼印付けが困難であったものが、鮮明な焼印を表示することが可能となつた。
【発明を実施するための形態】
【０００６】  下処理した身肉を味付け液に８〜２４時間浸漬する。
【０００７】  身肉に焼印を押印する。（壽・福・祝等の焼印）
【０００８】  焼印を押印した身肉を味付け液に１５〜６０分浸漬する。
【０００９】  味付け液として
醤油、みりん、ソルビット−ル、酒精、かつおエキス等を使用する。
【０００１０】  本発明によって、焼印が消えることなく鮮明になった理由は、焼印を押印した直後に味付け液に浸漬することによって、身肉が冷されて収縮するためと考えられる。このことは焼印後に味付け液に浸漬しないと焼印の周囲の黒ずみが広がり鮮明でなくなることからも明らかである。
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
下処理したあわび又はからすみの身肉を味付け液に８〜２４時間浸漬し、次いで該あわび又はからすみの身肉に焼印を押印した後、味付け液に１５〜６０分浸漬することを特徴とする焼印付け味付あわび又はからすみの製造方法。